(57)【要約】【課題】振動防止用の錘を効率的に配置することで、より確実な防振効果を得るようにしたディスク装置を提供する。【解決手段】ディスクを回転する回転駆動機構１１０と、ディスクから情報を再生及び／又は前記ディスクに情報を記録するために用いる光学装置１２０と、光学装置を移動させる移動機構１３０とを少なくとも含み、これらをシャーシ１０５で支持しているディスク装置であって、回転駆動機構１１０の回転軸を間にして回転駆動機構１１０、光学装置１２０及び移動機構１３０を含んだ状態でのシャーシ１０５の初期重心位置とは反対側に錘１４０の重心が偏在配置されている。【選択図】　　　　図５
2004127414.tif 000002
【特許請求の範囲】
【請求項１】
ディスクを回転する回転駆動機構と、前記ディスクから情報を再生及び／又は前記ディスクに情報を記録するために用いる光学装置と、前記光学装置を移動させる移動機構とを少なくとも含み、これらをシャーシで支持しているディスク装置であって、
前記回転駆動機構の回転軸を間にして前記回転駆動機構、光学装置及び移動機構を含んだ状態でのシャーシの初期重心位置とは反対側に錘の重心を偏在配置したことを特徴とするディスク装置。
【請求項２】
請求項１に記載のディスク装置において、
前記錘を前記光学装置及び前記移動機構側とは反対の前記回転駆動機構側のみに配置したことを特徴とするディスク装置。
【請求項３】
請求項１又は２項記載のディスク装置において、
前記シャーシの一部に前記錘を固定したことを特徴とするディスク装置。
【請求項４】
請求項１から３のいずれか一項記載のディスク装置において、
前記錘が、前記シャーシの形状に対応して屈曲成型されていることを特徴とするディスク装置。
【請求項５】
請求項１から４のいずれか一項記載のディスク装置において、
前記錘が一体型又は分割型で形成されていることを特徴とするディスク装置。
【請求項６】
請求項１から５のいずれか一項記載のディスク装置において、
前記シャーシが防振用のダンパを備えていることを特徴とするディスク装置。
【請求項７】
請求項１から６のいずれか一項記載のディスク装置において、
前記回転駆動機構の回転軸を間にして前記回転駆動機構、光学装置及び移動機構を含んだ状態でのシャーシの初期重心位置とは反対側に錘の重心を偏在配置し、この結果前記錘を含むシャーシの重心位置が前記回転軸に一致することを特徴とするディスク装置。
【発明の詳細な説明】
【０００１】
【発明の属する技術分野】
本発明は円板状の記録媒体（以下、単にディスクと称する）を回転させながらここに書き込まれている情報を再生し、或いは任意の情報を書き込んで記録する為のディスク装置に関する。特に、ディスクが回転した時の振動を効率的に抑制できるディスク装置に関する。
【０００２】
【従来の技術】
ディスクから情報を再生し、ディスクに対して記録を行うディスク装置としては、ＣＤ−ＲＯＭ、ＣＤ−Ｒ、ＣＤ−ＲＷ、ＤＶＤ等の装置がよく知られている。図１は、このようなディスク装置の内部構成を示した図である。（Ａ）は同装置の上面図、（Ｂ）は右側面図、（Ｃ）は正面図である。
【０００３】
図１で、ディスク装置１００は、ディスクを保持しながら所定方向に回転させるターンテーブル１１１を含んだ回転駆動機構１１０を備えている。また、ディスク装置１００は、ディスク１から情報を再生し、或いは、情報を記録する為の光学装置として、レンズ１２１を含んだ光ピックアップ装置１２０を備えている。この光ピックアップ装置１２０はモータ１３１を駆動源とする移動機構１３０によりディスク１の所定位置に移動される。図１では、移動機構１３０により移動された状態の光ピックアップ装置１２０を両端位置で例示している。すなわち、この光ピックアップ装置１２０は範囲Ｗの間を移動され、ディスク１から情報を再生し、或いは、情報を記録するようになっている。
【０００４】
そして、上記のディスク１を回転させる回転駆動機構１１０、光ピックアップ装置１２０及びこれを移動する移動機構１３０は所定の剛性を備えたシャーシ１０５により支持されている。このシャーシ１０５は、防振用のダンパ１１５−１〜１１５−４を介し、図示しない筐体に固定される。
【０００５】
上記ディスク装置１００において、ディスク１に偏重心や歪が有ると、回転の不釣合いからシャーシ１０５を励振してしまう。特にディスク面に対して垂直な方向でのシャーシ振動、すなわち上下動、及び光ピックアップの移動方向でのシャーシの振動、すなわち前後動が大きくなると、再生、記録のエラーが発生し易くなってしまう。
【０００６】
そこで、従来、上記シャーシ１０５上に錘を載置して、その重量を増加させることでシャーシ１０５の振動を抑制するようにしている。図２は、従来においてシャーシ１０５に載置されていた錘を例示した図である。（Ａ）は錘１４０の上面図、（Ｂ）は右側面図、（Ｃ）は正面図、さらに（Ｄ）は錘１４０の全体斜視図である。図２に示すように、錘１４０は大略、環状でありシャーシ１０５の外周部分に乗る大きさに形成されている。錘１４０の材質はシャーシ１０５と同様の部材でよく、例えば鋼材である。錘１４０はシャーシ１０５の形状に沿う様に折り曲げ加工され、またシャーシ１０５はネジ止めできるようにネジ穴１４１−１〜１４１−４を備えている。
【０００７】
図３は、ディスク装置１００に錘１４０をセットする様子を側面から示した図である。錘１４０は、回転駆動機構１１０等を支持しているシャーシ１０５の全外周に乗るような大きさに形成されており、シャーシ１０５にネジ止め固定される。このようにシャーシ１０５の全外周に錘１４０を配設するようにしているのは、シャーシ１０５の重量を増すことで防振効果を得ようとする為である。
【０００８】
しかしながら、近年の装置コンパクト化への要請は厳しく、より小型化できるように各部配置を決定する必要がある。そのために、図１にも示されるようにディスク１を回転させる回転駆動機構１１０は、一般にシャーシ１０５の端部側に設定される場合が多い。
【０００９】
上記のようにシャーシ１０５の重量を増加させることにより、一定の防振効果を期待できる。しかし、ディスク１の回転により、ひとたび振動が生じてしまうと、シャーシ１０５の重量を増していることが逆効果として作用する。すなわち、振動を開始したときのエネルギーは錘１４０が無い場合よりも大きいので、ディスク装置から外部へ伝わるような振動、騒音となってしまう。
【００１０】
特に、回転駆動機構１１０、光ピックアップ装置１２０等を支持した状態でのディスク１の重心位置（初期重心位置という）と、ディスク１を回転させるターンテーブル１１１の回転中心位置とが、ずれることを許容せざるを得ない設計となっている。また、最近のディスク装置はディスク１をより高速で回転させて、情報の再生、記録を迅速に行うようにしている。このような状況で、シャーシ全体の重量が増す様に錘を乗せるといった単純な工夫では、ディスク１の回転による振動を確実に防止することが困難となっている。
【００１１】
なお、シャーシ１０５により重い錘を乗せて重量を増加させることも考えられるが、このようにすると輸送時に発生するような落下振動に対して脆弱になってしまうので、好ましくない。また、輸送コスト、環境負荷も増加してしまう。
【００１２】
また、特許文献１には、錘として作用する馬蹄形防振用基板の重心の位置をスピンドルモータの回転軸上に配置することで防振作用を均一にすることが開示されている。
【００１３】
【特許文献１】
特開２００２−１７０３６８
【００１４】
【発明が解決しようとする課題】
しかしながら、特許文献１記載の従来技術では、スピンドルモータや光学系を支持する駆動用基板の重心を考慮していないので、メカシャーシに対して錘の重量がはるかに大きくない限り大きな防振効果を確実に得ることができないという課題がある。
【００１５】
したがって、本発明は、振動防止用の錘を効率的に配置することでより確実な防振効果を得るようにしたディスク装置を提供することを目的とする。
【００１６】
【課題を解決するための手段】
上記課題は請求項１に記載の如く、ディスクを回転する回転駆動機構と、前記ディスクから情報を再生及び／又は前記ディスクに情報を記録するために用いる光学装置と、前記光学装置を移動させる移動機構とを少なくとも含み、これらをシャーシで支持しているディスク装置であって、前記回転駆動機構の回転軸を間にして前記回転駆動機構、光学装置及び移動機構を含んだ状態でのシャーシの初期重心位置とは反対側に錘の重心を偏在配置したことを特徴とするディスク装置で達成される。
【００１７】
また、請求項２に記載のように、請求項１に記載のディスク装置において、前記錘を前記光学装置及び前記移動機構側とは反対の前記回転駆動機構側のみに配置するという形態でもよい。
【００１８】
請求項１又は２記載の発明によれば、防振用の錘を重量増加のために単に配置するというのではなく、振動を発生させる原因となる前記回転駆動機構の回転軸を間にして前記回転駆動機構、光学装置及び移動機構を含んだ状態でのシャーシの初期重心位置とは反対側に錘の重心を偏在配置することで、振動が発生する位置と装置の重心位置とのずれが小さくなり、効率的に振動を抑制できる。本発明の場合には、従来技術で用いられていた錘より重量が軽い錘であっても、大きな防振効果を得ることができる。
【００１９】
また、請求項３に記載のように、請求項１又は２記載のディスク装置において、前記シャーシの一部に前記錘を固定すれば、簡易に前述した発明を実現できる。
【００２０】
また、請求項４に記載のように、請求項１から３のいずれかに記載のディスク装置において、前記錘が、前記シャーシの形状に対応して屈曲成型されていれば、容易に錘をシャーシに組み付けることができる。
【００２１】
また、請求項５に記載のように、請求項１から４のいずれかに記載のディスク装置において、前記錘は一体型又は分割型で形成されていてもよい。この錘は回転駆動機構側からの振動を効果的に抑制できるように配置されていればよいのであって、一体型、分割型であるかは問うものではない。
【００２２】
また、請求項６に記載のように、請求項１から５のいずれかに記載のディスク装置において、前記シャーシが防振用のダンパを備えていてもよい。このダンパを介して他の部材にシャーシを固定するようにすれば、ディスク装置から外部への振動の伝播をより確実に抑制できる。合わせて、ダンパにより外部からのディスク装置への衝撃を抑制できるので好ましい。
【００２３】
また、請求項７に記載のように、請求項１から６のいずれかに記載のディスク装置において、前記回転駆動機構の回転軸を間にして前記回転駆動機構、光学装置及び移動機構を含んだ状態でのシャーシの初期重心位置とは反対側に錘の重心を偏在配置し、この結果シャーシの重心位置（前記回転駆動機構、光学装置、移動機構及び錘を含んだ状態でのシャーシの重心位置：修正重心ともいう）が前記回転軸に一致するように構成することが好ましい。これにより、振動を最大限に抑制することができる。
【００２４】
【発明の実施の形態】
以下、図面に基づいて本発明の実施例を説明する。なお、本実施例のディスク装置は防振用の錘がセットされたものであるが、ディスク装置の主要部は従来と同様である。本実施例では図１で示した錘をセットしていない状態のディスク装置本体１００を共通に用いることで、従来技術との差がより明確に確認できるようにする。よって、本実施例では図１に示したディスク装置の符号をそのまま流用して説明する。
【００２５】
図４は、本実施例で用いる錘について示した図である。（Ａ）は錘１０の上面図、（Ｂ）は右側面図、（Ｃ）は正面図、さらに（Ｄ）は錘１０の全体斜視図である。
【００２６】
本実施例で採用する錘１０は、従来のものが環状でありシャーシの外周全体に乗せることを前提に形成されていたのとは異なり、小型で略コ字状に形成されている。この錘１０はシャーシの全外周に乗せるのではなく、外周の一部に乗せるように設計されている。この錘１０は従来の錘の場合と同様に、シャーシと同様の部材、例えば鋼材で形成すればよい。錘１０は装着される部分のシャーシ形状に沿う様に屈曲加工され、またシャーシにネジ止めできるようにネジ穴１１を備える。この錘１０は全体が小さくなるので、ネジ穴の数は１１−１、１１−２の２つと少なくなっている。よって、取付けの工数は軽減される。錘１０はシャーシに直に取り付けてもよく、またダンパを介してシャーシに取り付けることもできる。
【００２７】
この後の説明から明らかなように、この錘１０は従来の錘とは異なり、ディスクの回転中心に重心を近づけるように配置されるものである。すなわち、錘１０は、単にシャーシの重量を増加させて防振を図るという目的で配置されるのではなく、振動の発生部となるとディスク回転中心と装置重心位置との距離が短くなるように設定される。そのために、錘１０は回転駆動機構１１０の周部に配置されている。
【００２８】
図５は、上記錘１０をディスク装置本体１００にセットする様子を示した図である。この図では比較のため、従来の錘１４０を点線で示している。この図５に示すように、本実施例ではディスク１を回転する回転駆動機構１１０が存在する領域の周部に錘１０を配置している。この錘１０が配置される領域は、光ピックアップ装置１２０や移動機構１３０とは反対側である。より具体的には、回転駆動機構１１０の回転軸を間にして回転駆動機構１１０、光学装置１２０及び移動機構１３０を含んだ状態でのシャーシ１０５の初期重心位置とは反対側に振動防止用の錘１４０の重心が偏在配置されている。
【００２９】
このように、錘１０を配設することに関してより詳細に説明する。前述したように、ディスク装置本体１００ではコンパクト化させる必要性からディスク１を回転する回転機構１１０を端部側に配置している。また、光ピックアップ装置１２０はシャーシ１０５の中央部で移動するに設定され、これを移動させる移動機構１３０はその側部に配置される。このような配置では、ディスク本体１００の重心位置Ｇ１と、ディスク１の回転中心ＲＣとの距離Ｌ１が大きくなる。この構成配置では、ディスク１の回転で生じた振動を増幅してしまうことになる。
【００３０】
ところが、従来においては、シャーシ１０５の重量を増すことに注視して振動を抑制しようとしていた。すなわち、錘１４０を乗せても、全体の重心位置（初期重心位置）Ｇ１を殆ど変えることなく単に重量のみを増加していた。この従来の場合、抑制できない振動がディスク１の回転で発生したときには、外部にも伝達するような大きな振動と、騒音を発生させることになる。
【００３１】
そこで、本実施例では錘１０を乗せた後の重心位置（以下、修正重心位置Ｇ２という）、が回転駆動機構１１０側に移動するように、シャーシ１０５上に錘１０を配置する。すなわち、本実施例では、従来と比較して、錘１０を乗せた後の修正重心位置Ｇ２がＬ１より短いＬ２となりディスク１の回転中心ＲＣに近づくように、シャーシ上に錘１０を偏在させる。具体的には、光ピックアップ装置１２０及びこれを移動する移動機構１３０が存在しない、回転駆動機構１１０側に偏った位置に錘１０を配置する。このように錘１０を乗せることにより、錘が無い状態で中央側にあった初期の重心Ｇ１を、（Ｌ１−Ｌ２）の距離だけ回転中心ＲＣに近づいた修正重心Ｇ２に偏移させることができる。なお、錘１０を配置する領域、短縮させる距離（Ｌ１−Ｌ２）等はディスク装置により適宜調整すればよい。より好ましくは、Ｌ２＝０である。つまり、回転駆動機構１１０の回転軸を間にして回転駆動機構１１０、光学装置１２０及び移動機構１３０を含んだ状態でのシャーシ１０５の初期重心位置とは反対側に振動防止用の錘１４０の重心が偏在配置され、この結果シャーシ１０５の重心位置（前記回転駆動機構、光学装置、移動機構及び錘を含んだ状態でのシャーシの重心位置）が前記回転軸に一致することがより好ましい。
【００３２】
修正重心Ｇ２が回転中心ＲＣに近づく又は一致することで、従来のようにディスク１の回転により生じた振動を励振してしまう事態を防止できる。本実施例の場合、錘１０を用いることで従来と同様に振動を抑制しつつ、ディスク回転中心ＲＣとの距離をＬ２として短く又はゼロにすることができるので振動を増幅することなく効率的に抑制できる。本実施例の場合、錘１０自体の重量を有効に活用するので従来の錘１４０より軽くてもよい。よって、錘１０をシャーシに固定する工数を少なくでき、また重量の軽減を図り輸送コストの低減も図ることがでるのである。
【００３３】
ここで、ディスク装置本体１００に振動が発生したときの影響を考察してみる。図５の右側に示すように、Ｊ，Ｒ，Ｚ方向を設定する。Ｚ方向はディスク装置本体１００の上下方向、Ｒ方向は光ピックアップ装置１２０が移動する方向、Ｊ方向はディスク装置の幅方向である。ディスク装置が振動したときに、特に悪影響を及ぼすのは、従来技術でも指摘したように、ディスク面に対して垂直な方向（Ｚ方向）でのシャーシ振動、すなわち上下動、及び光ピックアップの移動方向（Ｒ方向）でのシャーシの振動である。Ｊ方向での振動の影響は比較的少ない。
【００３４】
本願発明者は、図５で示した錘１０をディスク装置本体１００に乗せた実施例装置、錘１４０をディスク装置本体１００に乗せた比較例装置を準備して振動の影響を確認した。ディスク装置１００に発生した振動は、上記３方向に分割した加速度（ｍ／ｓ２）を測定することで確認した。そのために本発明者はディスク本体１００に３方向の加速度を検出できるセンサを設置して加速度を測定した。１０回の測定を行い、平均値と標準偏差σを算出した。この結果を下記表１及び表２にまとめた。表１は、ディスク装置本体１００に従来の錘１４０をセットした場合の加速度データである。また、表２は、ディスク装置本体１００に実施例の錘１０をセットした場合の加速度データである。
【００３５】
表１：　　全外周に乗る錘１４０を用いた場合のシャーシの加速度
【００３６】
【表１】
2004127414.tif 000003
表２：回転駆動機構側に偏移して乗る錘１０を用いた場合のシャーシの加速度
【００３７】
【表２】
2004127414.tif 000004
図６は、上記表１および表２から求めた各方向で平均値を、比較して示した図である。この図６では、各方向で０（ゼロ）に近い程、振動が少ないので好ましい。実施例の場合、ディスク装置で特に悪影響があるＺ方向での振動が従来と比較して減少していることが確認できる。よって、本実施例のディスク装置では従来の錘１４０よりも小型の錘１０であるにもかかわらず、顕著な効果を得ることができる。
【００３８】
なお、Ｒ方向でも実施例の場合の方が改善している。この方向は光ピックアップ装置が移動する方向であり、振動が光ピックアップ装置の位置に影響する。よって、このＲ方向での振動が軽減されることはディスクに対する再生、記録に寄与するので好ましい。なお、最も改善されたのはＪ方向の振動であるが、Ｊ方向の振動はＺ方向やＲ方向の振動に比べ比較的影響は少ない。
【００３９】
以上、説明した所から明らかなように、本実施例のディスク装置は従来とは異なり、振動抑制用の錘を回転駆動機構側に偏移させて配置するという簡易な改良で、効率よくディスクの回転に基づく振動を抑制できる。しかも、錘が従来より小さくなるので、取付け工数を減らすことができ合わせて重量も軽減する。よって、製作及び輸送コストの低減を図ることもできる。
【００４０】
なお、図４で示した実施例の錘１０は一体型であるがこれに限らず、２個以上に分割した錘をシャーシ上に設置しても同様の効果を得ることができる。また、ダンパ１１５を配置することで更に確実にディスク装置の振動を抑制できる。実施例では４つのダンパ１１５−１〜１１５−４を例示するが、これらの硬さを適宜変更してもよい。例えば、錘を偏在させる回転駆動機構１１０側のダンパ１１５−２、１１５−３を硬めに設定する。また、本実施例のディスク装置は４点で筐体等に固定される例を示しているが、点３で支持する構造としてもよい。
【００４１】
以上本発明の好ましい実施例について詳述したが、本発明は係る特定の実施形態に限定されるものではなく、特許請求の範囲に記載された本発明の要旨の範囲内において、種々の変形・変更が可能である。
【００４２】
【発明の効果】
以上詳述したところから明らかなように、本発明によれば、振動抑制用の錘を回転駆動機構側に偏移させて配置するという簡易な改良で、効率よくディスクの回転に基づく振動を抑制できるディスク装置を提供できる。しかも、用いる錘を従来と比較して小さくできるので、取付け工数を減らすことができる。また、重量も軽減する。よって、製作及び輸送コストの低減を図ることもできる。
【図面の簡単な説明】
【図１】ディスク装置の内部構成を示した図である。
【図２】従来においてシャーシに載置されていた錘を例示した図である。
【図３】ディスク装置に従来の錘をセットする様子を側面から示した図である。
【図４】本実施例で用いる錘について示した図である。
【図５】実施例で用いる錘をディスク装置本体にセットする様子を示した図である。
【図６】表１および表２から求めた各方向で平均値を、比較して示した図である。
【符号の説明】
１　　　　　　ディスク
１０　　　　　錘
１００　　　　ディスク装置
１０５　　　　シャーシ
１１０　　　　回転駆動機構
１１１　　　　ターンテーブル
１２０　　　　光ピックアップ装置（光学装置）
１３０　　　　移動機構
Ｇ１　　　　　初期重心位置
Ｇ２　　　　　修正重心位置
【図１】
2004127414.tif 000005
【図２】
2004127414.tif 000006
【図３】
2004127414.tif 000007
【図４】
2004127414.tif 000008
【図５】
2004127414.tif 000009
【図６】
2004127414.tif 000010